(57)【要約】【課題】移動作業に携わる作業員を目視により認識でき、災害防止にもつながる移動式トンネル防音扉装置を提供すること。【解決手段】本発明の移動式トンネル防音扉装置１は、トンネル３０の坑口又は坑内を閉塞し、車両が出入りする観音開きの主扉１１ａ、１１ｂと、主扉１１ａ、１１ｂの両側に配置される側部防音パネル１２ａ、１２ｂと、主扉１１ａ、１１ｂの上側に配置される上部防音パネル１３と、主扉１１ａ、１１ｂ、側部防音パネル１２ａ、１２ｂ、及び上部防音パネル１３を支える台座１４ａ、１４ｂとを備え、側部防音パネル１２ａ、１２ｂを、主扉１１ａ、１１ｂに対して折り畳み可能に設けたことを特徴とする。【選択図】        図１
2014173362.tif 000002
【特許請求の範囲】
【請求項１】
トンネルの坑口又は坑内を閉塞する移動式トンネル防音扉装置であって、
車両が出入りする観音開きの主扉と、
前記主扉の両側に配置される側部防音パネルと、
前記主扉の上側に配置される上部防音パネルと、
前記主扉、前記側部防音パネル、及び前記上部防音パネルを支える台座とを備え、
前記側部防音パネルを、前記主扉に対して折り畳み可能に設けたことを特徴とする移動式トンネル防音扉装置。
【請求項２】
前記主扉を、切羽方向に開く内開きとし、前記側部防音パネルを外開きとしたことを特徴とする請求項１に記載の移動式トンネル防音扉装置。
【請求項３】
前記側部防音パネルに人員用扉を設け、前記人員用扉を内開きとしたことを特徴とする請求項２に記載の移動式トンネル防音扉装置。
【請求項４】
前記人員用扉に、余圧抜き用の回転窓を設けたことを特徴とする請求項３に記載の移動式トンネル防音扉装置。
【請求項５】
請求項１から請求項４のいずれかに記載の移動式トンネル防音扉装置の移動方法であって、前記主扉を開き、前記側部防音パネルを折り畳んだ状態で、前記移動式トンネル防音扉装置を重機で牽引することを特徴とする移動式トンネル防音扉装置の移動方法。
【発明の詳細な説明】
【技術分野】
【０００１】
本発明は、トンネルの坑口又は坑内を閉塞する移動式トンネル防音扉装置及び移動式トンネル防音扉装置の移動方法に関する。
【背景技術】
【０００２】
工事の進行に伴う現場の移動に際しても、容易に移動することができる移動式トンネル防音扉装置が提案されている（特許文献１）。
この移動式トンネル防音扉装置は、装置本体の下部に、装置本体を立設状態に支持する前後方向のそりを設けている。
【先行技術文献】
【特許文献】
【０００３】
【特許文献１】特開２００９−５２３１９号公報
【発明の概要】
【発明が解決しようとする課題】
【０００４】
特許文献１によれば移動式トンネル防音扉装置の移動は容易となる。
しかし、移動式トンネル防音扉装置の移動は重機によって牽引するが、移動式トンネル防音扉装置とトンネルとの間の隙間が限られているため、牽引作業時には、作業員が牽引を誘導する。
この牽引作業では、重機の運転者から作業員が見えにくいという問題がある。
【０００５】
本発明は、移動作業に携わる作業員を目視により認識でき、災害防止にもつながる移動式トンネル防音扉装置を提供することを目的とする。
【課題を解決するための手段】
【０００６】
請求項１記載の本発明の移動式トンネル防音扉装置は、トンネルの坑口又は坑内を閉塞する移動式トンネル防音扉装置であって、車両が出入りする観音開きの主扉と、前記主扉の両側に配置される側部防音パネルと、前記主扉の上側に配置される上部防音パネルと、前記主扉、前記側部防音パネル、及び前記上部防音パネルを支える台座とを備え、前記側部防音パネルを、前記主扉に対して折り畳み可能に設けたことを特徴とする。
請求項２記載の本発明は、請求項１に記載の移動式トンネル防音扉装置において、前記主扉を、切羽方向に開く内開きとし、前記側部防音パネルを外開きとしたことを特徴とする。
請求項３記載の本発明は、請求項２に記載の移動式トンネル防音扉装置において、前記側部防音パネルに人員用扉を設け、前記人員用扉を内開きとしたことを特徴とする。
請求項４記載の本発明は、請求項３に記載の移動式トンネル防音扉装置において、前記人員用扉に、余圧抜き用の回転窓を設けたことを特徴とする。
請求項５記載の本発明の移動式トンネル防音扉装置の移動方法は、請求項１に記載の移動式トンネル防音扉装置において、請求項１から請求項４のいずれかに記載の移動式トンネル防音扉装置の移動方法であって、前記主扉を開き、前記側部防音パネルを折り畳んだ状態で、前記移動式トンネル防音扉装置を重機で牽引することを特徴とする。
【発明の効果】
【０００７】
本発明によれば、側部防音パネルを折り畳んで、移動式トンネル防音扉装置を移動できるため、トンネル内壁に接触することを防止できるだけでなく、移動作業に携わる作業員を目視により認識できるため、災害防止にもつながる。
【図面の簡単な説明】
【０００８】
【図１】本発明の一実施例による移動式トンネル防音扉装置をトンネルの外から見た正面図
【図２】同移動式トンネル防音扉装置の上面図
【図３】同移動式トンネル防音扉装置の左側面図
【図４】同移動式トンネル防音扉装置の右側面図
【発明を実施するための形態】
【０００９】
本発明の第１の実施の形態による移動式トンネル防音扉装置は、側部防音パネルを、主扉に対して折り畳み可能に設けたものである。本実施の形態によれば、側部防音パネルを折り畳んで、移動式トンネル防音扉装置を移動できるため、トンネル内壁に接触することを防止できるだけでなく、重機を操作するオペレータが、移動作業に携わる作業員を目視により認識できるため、災害防止にもつながる。
【００１０】
本発明の第２の実施の形態は、第１の実施の形態による移動式トンネル防音扉装置において、主扉を、切羽方向に開く内開きとし、側部防音パネルを外開きとしたものである。本実施の形態によれば、トンネル発破時に発生する圧力は主扉に加わるが、主扉を内開きとしていることで、主扉の閉塞部材の負担を軽減でき、また本実施の形態による移動式トンネル防音扉装置の移動時には、主扉を内開き、側部防音パネルを外開きとすることで安定性を確保することができる。
【００１１】
本発明の第３の実施の形態は、第２の実施の形態による移動式トンネル防音扉装置において、側部防音パネルに人員用扉を設け、人員用扉を内開きとしたものである。本実施の形態によれば、本実施の形態による移動式トンネル防音扉装置の移動時に、側部防音パネルに人員用扉による開口を形成できるため、重機を操作するオペレータが、移動作業に携わる作業員を目視により認識できやすく、災害防止につながる。
【００１２】
本発明の第４の実施の形態は、第３の実施の形態による移動式トンネル防音扉装置において、人員用扉に、余圧抜き用の回転窓を設けたものである。本実施の形態によれば、発破による圧力を受けた直後においても、人員用扉をスムーズに開くことができる。
【００１３】
本発明の第５の実施の形態による移動式トンネル防音扉装置の移動方法は、第１から第４の実施の形態による移動式トンネル防音扉装置を、主扉を開き、側部防音パネルを折り畳んだ状態で、重機で牽引するものである。本実施の形態によれば、側部防音パネルを折り畳んで、本実施の形態による移動式トンネル防音扉装置を移動できるため、トンネル内壁に接触することを防止できるだけでなく、重機を操作するオペレータが、移動作業に携わる作業員を目視により認識できるため、災害防止にもつながる。
【実施例】
【００１４】
以下本発明の実施例について図面とともに詳細に説明する。
図１は本発明の一実施例による移動式トンネル防音扉装置をトンネルの外から見た正面図、図２は同移動式トンネル防音扉装置の上面図、図３は同移動式トンネル防音扉装置の左側面図、図４は同移動式トンネル防音扉装置の右側面図である。
【００１５】
移動式トンネル防音扉装置１０は、車両が出入りする観音開きの主扉１１ａ、１１ｂと、主扉１１ａ、１１ｂの両側に配置される側部防音パネル１２ａ、１２ｂと、主扉１１ａ、１１ｂの上側に配置される上部防音パネル１３と、主扉１１ａ、１１ｂ、側部防音パネル１２ａ、１２ｂ、及び上部防音パネル１３を支える台座１４ａ、１４ｂとを備え、トンネル３０の坑口又は坑内を閉塞する。
【００１６】
主扉１１ａ、１１ｂは、長方形状の２枚のパネル板で構成される。
側部防音パネル１２ａ、１２ｂは、主扉１１ａ、１１ｂ側の直線状の内側辺と、台座１４ａ、１４ｂ側の直線状の底辺と、トンネル３０内面側の円弧状の外側辺とで囲まれるパネル板で構成される。
上部防音パネル１３は、主扉１１ａ、１１ｂ側の直線状の内側辺と、トンネル３０内面側の円弧状の外側辺とで囲まれるパネル板で構成される。
主扉１１ａ、１１ｂは、一対の支柱１５ａ、１５ｂの間に配置され、側部防音パネル１２ａ、１２ｂは、支柱１５ａ、１５ｂの外側に配置される。
台座１４ａ、１４ｂは、支柱１５ａ、１５ｂの下部に配置される。
【００１７】
主扉１１ａは、蝶番１６ａで支柱１５ａに取り付けられ、主扉１１ｂは、蝶番１６ｂで支柱１５ｂに取り付けられ、切羽方向に開く内開きとしている。
側部防音パネル１２ａは、蝶番１７ａで支柱１５ａに取り付けられ、側部防音パネル１２ｂは、蝶番１７ｂで支柱１５ｂに取り付けられ、切羽方向とは逆の外開きとしている。側部防音パネル１２ａ、１２ｂは、主扉１１ａ、１１ｂに対して折り畳むことができる。
主扉１１ａ、１１ｂは、例えばかんぬき部材のような閉塞部材１８によって閉塞状態を維持される。閉塞部材１８は、切羽側に設けている。
トンネル発破時に発生する圧力は主扉１１ａ、１１ｂの切羽側の面に加わるが、主扉１１ａ、１１ｂを内開きとしていることで、主扉１１ａ、１１ｂの閉塞部材１８の負担を軽減できる。
【００１８】
側部防音パネル１２ａには蝶番２０を介して人員用扉１９を設け、人員用扉１９を内開きとしている。
人員用扉１９は、支柱１５ａと反対側に蝶番２０を有している。  
人員用扉１９には、余圧抜き用の回転窓２１を設けている。回転窓２１を回転して開放することで切羽側の圧力を逃がすことができ、発破による圧力を受けた直後においても、人員用扉１９をスムーズに開くことができる。
側部防音パネル１２ａ、１２ｂの外側辺と、上部防音パネル１３の外側辺とには、調整用ゴム２２ａ又は断面追従用ガイド板２２ｂと調整用ゴム２２ａとが設けられる。
【００１９】
図３では、トンネル３０の内周面がコンクリート３１で覆われた状態を示している。図３に示す状態では、側部防音パネル１２ａ、１２ｂの外側辺と、上部防音パネル１３の外側辺とには、調整用ゴム２２ａが設けられる。この調整用ゴム２２ａによって、移動式トンネル防音扉装置１０とトンネル３０との隙間が閉塞される。
【００２０】
図４では、トンネル３０の内周面が支保工３２で覆われた状態を示している。図４に示す状態では、側部防音パネル１２ａ、１２ｂの外側辺と、上部防音パネル１３の外側辺とには、断面追従用ガイド板２２ｂと調整用ゴム２２ａが設けられる。断面追従用ガイド板２２ｂと調整用ゴム２２ａとによって、移動式トンネル防音扉装置１０とトンネル３０との隙間が閉塞される。
なお、台座１４ａ、１４ｂの上部には、外方構造体２４と内方構造体２３とを有している。また、台座１４ａ、１４ｂの下部には、複数のコロ２６を有している。
また、上部防音パネル１３には、風管接続用開口２７や遮音ダンパー２８を設けている。
【００２１】
本実施例による移動式トンネル防音扉装置１０は、重機によって牽引され、トンネル３０の坑口又は坑内に設置され、トンネル３０の坑口又は坑内から撤去される。
移動式トンネル防音扉装置１０の設置時又は撤去時には、側部防音パネル１２ａ、１２ｂを折り畳んで移動する。側部防音パネル１２ａ、１２ｂを折り畳むことで、側部防音パネル１２ａ、１２ｂがトンネル３０内壁に接触することを防止できるだけでなく、重機を操作するオペレータが、移動作業に携わる作業員を目視により認識できるため、災害防止にもつながる。
特に、移動式トンネル防音扉装置１０の設置時又は撤去時には、主扉１１ａ、１１ｂを内開き、側部防音パネル１２ａ、１２ｂを外開きとすることで、重量バランスをとり、移動時の安定性を確保することができる。
また、移動式トンネル防音扉装置１０の設置時又は撤去時に、人員用扉１９によって側部防音パネル１２ａに開口を形成できるため、重機を操作するオペレータが、移動作業に携わる作業員を目視により認識できやすく、災害防止につながる。
【００２２】
以上のように、移動式トンネル防音扉装置１０は、主扉１１ａ、１１ｂを開き、側部防音パネル１２ａ、１２ｂを折り畳んだ状態で、重機で牽引することで、トンネル３０内壁に接触することを防止できるだけでなく、重機を操作するオペレータが、移動作業に携わる作業員を目視により認識できるため、災害防止にもつながる。
【産業上の利用可能性】
【００２３】
本発明の移動式トンネル防音扉装置は、移動作業における安全性が極めて高い。
【符号の説明】
【００２４】
１０  移動式トンネル防音扉装置
１１ａ、１１ｂ  主扉
１２ａ、１２ｂ  側部防音パネル
１３  上部防音パネル
１４ａ、１４ｂ  台座
１８  閉塞部材
１９  人員用扉
２１  回転窓
３０  トンネル
【図１】
2014173362.tif 000003
【図２】
2014173362.tif 000004
【図３】
2014173362.tif 000005
【図４】
2014173362.tif 000006